(57)【要約】【課題】コアネットワークにおいてベアラが解放されている状態があっても、その状態を早期に解消する。【解決手段】ＭＭＥ１００において、保守インタフェース１０２は、外部端末である保守端末５００から、リセット対象となる移動機８００のＩＭＳＩを含んだページング要求コマンドを受信する。ページング制御部１０４は、そのＩＭＳＩがプロファイル情報に含まれていない場合には、ＭＭＥ１００の配下にいる全てのｅＮｏｄｅＢ７００ｅに対して、当該プロファイル情報の識別情報を含んだページング処理を行う。【選択図】図３
2018160769.tif 000002
【特許請求の範囲】
【請求項１】
移動端末の識別情報と当該移動端末が在圏している場所を示す在圏情報とを含んだプロファイル情報を記憶する在圏情報記憶部と、
外部端末から、リセット対象となる移動端末の識別情報を含んだページング要求コマンドを受信する受信部と、
前記受信部により受信されたページング要求コマンドに含まれている識別情報が、前記在圏情報記憶部に記憶されているプロファイル情報に含まれているか否かを判断する在圏判断部と、
前記在圏判断部によりプロファイル情報に含まれていると判断すると、当該プロファイル情報の在圏情報に応じた基地局に対して、当該プロファイル情報の識別情報を含んだページング処理を行い、前記在圏判断部によりプロファイル情報に含まれていないと判断すると、配下にいる全ての基地局に対して、当該プロファイル情報の識別情報を含んだページング処理を行う通信制御部と、
を備える通信制御サーバ。
【請求項２】
請求項１に記載の一または複数の通信制御サーバと、外部端末である保守端末と、管理サーバとからなる通信システムにおいて、
前記管理サーバは、
ネットワークに対する通信の可否を判断する通信判断部と、
前記通信判断部により通信否と判断されると、前記保守端末に対して、移動端末の宛先情報を指示して、当該移動端末のリセット要求を送信するリセット要求部と、
を備え、
前記保守端末は、
前記リセット要求部から移動端末のリセット要求を受信すると、前記通信制御サーバに対して、前記移動端末の宛先情報に基づいてページング要求コマンドを送信するページング要求部、
を備える通信システム。
【請求項３】
前記リセット要求部からのリセット要求に対して認証処理を行うリセット要求認証部をさらに備え、
前記ページング要求部は、前記リセット要求認証部により正当なリセット要求であると判断されると、ページング要求コマンドを送信する、請求項２に記載の通信システム。
【請求項４】
前記保守端末において、前記ページング要求部は、加入者情報管理サーバに対して、宛先情報に対応する移動端末の識別情報の問合せを行い、取得した識別情報を含んだページング要求コマンドを送信する、請求項２または３に記載の通信システム。
【請求項５】
前記保守端末において、前記ページング要求部は、当該移動端末の在圏情報に対応する通信制御サーバの問合せを行い、問合せをした通信制御サーバに対して、取得した識別情報を含んだページング要求コマンドを送信する、請求項４に記載の通信システム。
【請求項６】
請求項１に記載の一または複数の通信制御サーバと、音声パケット制御サーバとからなる通信システムにおいて、
前記音声パケット制御サーバは、
外部から受けた音声パケットを移動端末に向けて送信し、送信の可否を判断する通信判断部と、
前記通信判断部により通信否と判断されると、加入者情報管理サーバに対して、宛先となる前記移動端末の在圏情報に対応する通信制御サーバの問合せを行い、問合せをした通信制御サーバに対して、取得した識別情報を含んだページング要求コマンドを送信するページング要求部と、
を備える通信システム。
【発明の詳細な説明】
【技術分野】
【０００１】
本発明は、通信端末に対する通信制御を行う通信制御サーバおよび通信システムに関する。
【背景技術】
【０００２】
下記特許文献１には、ＭＭＥ（Mobility Management Entity）が、障害によって一旦停止した後、再開するときに、Ｓ−ＧＷから受信したＩＭＳＩ（International MobileSubscriber Identity）を用いたPaging処理をＵＥ（User Equipment）に対して行うことが記載されている。これによって、ＭＭＥは、ＵＥに対してアタッチ処理を行わせることができる。
【先行技術文献】
【特許文献】
【０００３】
【特許文献１】特開２０１２−１４７４１０号公報
【発明の概要】
【発明が解決しようとする課題】
【０００４】
Ｐ−ＧＷの再開などの所定の要因によって、コアネットワークを構成するＳ−ＧＷとＰ−ＧＷとの間のインタフェースであるＳ５／Ｓ８インタフェースのベアラが意図しないタイミングで解放される場合がある。コアネットワーク側と移動機との間では、Ｓ５／Ｓ８インタフェースのベアラの状態の同期をとっているが、移動機が圏外になったときにおいては、その同期をとることができない。よって、移動機においてコアネットワークは通信ができるという状態情報を記憶しているが、実際には、コアネットワークにおいてはベアラが解放されており通信が不可という状態が生じる。
【０００５】
特許文献１に記載の技術は、ＭＭＥが障害状態から再開するときにおいて、Ｓ−ＧＷとＰ−ＧＷとの間のＳ５／Ｓ８インタフェースのベアラが維持されていることが前提となっている。Ｓ５／Ｓ８インタフェースのベアラが維持されていない場合には、Ｐ−ＧＷは、Ｓ−ＧＷにパケットを転送することができず、ＭＭＥに対してＤＤＮ（Downlink Data Notification）信号を送信することができない。したがって、ＭＭＥは、移動機であるＵＥに対してPaging処理を行うことができない。
【０００６】
そこで、本発明は、コアネットワークにおいてベアラが解放されている状態があっても、その状態を早期に解消することができる通信制御サーバおよび通信システムを提供することを目的とする。
【課題を解決するための手段】
【０００７】
上述の課題を解決するために、本発明の通信制御サーバは、  移動端末の識別情報と当該移動端末が在圏している場所を示す在圏情報とを含んだプロファイル情報を記憶する在圏情報記憶部と、外部端末から、リセット対象となる移動端末の識別情報を含んだページング要求コマンドを受信する受信部と、前記受信部により受信されたページング要求コマンドに含まれている識別情報が、前記在圏情報記憶部に記憶されているプロファイル情報に含まれているか否かを判断する在圏判断部と、前記在圏判断部によりプロファイル情報に含まれていると判断すると、当該プロファイル情報の在圏情報に応じた基地局に対して、当該プロファイル情報の識別情報を含んだページング処理を行い、前記在圏判断部によりプロファイル情報に含まれていないと判断すると、配下にいる全ての基地局に対して、当該プロファイル情報の識別情報を含んだページング処理を行う通信制御部と、を備える。
【０００８】
この発明によれば、保守端末などからの信号に基づいてページング処理を行うことができる。したがって、コアネットワーク内におけるインタフェース、例えばＳ５／Ｓ８インタフェースのベアラが解放されていたとしても、ページング処理を行うことができ、そのインタフェースのベアラの再確立を可能にする。
【発明の効果】
【０００９】
本発明によれば、コアネットワークにおいてベアラが解放されている状態があっても、その状態を早期に解消することができる。
【図面の簡単な説明】
【００１０】
【図１】本実施形態のＭＭＥ１００を含んだ通信システムのシステム構成を示す図である。
【図２】本実施形態のＭＭＥ１００の処理概要を示す図である。
【図３】ＭＭＥ１００の機能構成を示すブロック図である。
【図４】保守端末５００の機能構成を示すブロック図である。
【図５】ＭＭＥ１００の動作を示すフローチャートである。
【図６】本実施形態の通信システムにおける処理シーケンス図を示す。
【図７】変形例における通信システムのシステム構成を示す図である。
【図８】保守端末５００ａの機能構成を示すブロック図である。
【図９】変形例における通信システムの処理シーケンスを示す図である。
【図１０】別の変形例における通信システムのシステム構成を示す図である。
【図１１】別の変形例におけるＰ−ＣＳＣＦ６００ｂ１の機能ブロック図である。
【図１２】別の変形例における通信システムの処理シーケンスを示す図である。
【図１３】本実施形態および変形例に係るＭＭＥ１００のハードウェア構成の一例を示す図である。
【発明を実施するための形態】
【００１１】
添付図面を参照しながら本発明の実施形態を説明する。可能な場合には、同一の部分には同一の符号を付して、重複する説明を省略する。
【００１２】
図１は、本実施形態のＭＭＥ１００を含んだ通信システムのシステム構成を示す図である。図１に示されるとおり、この通信システムは、ＭＭＥ（Mobility Management Entity）１００、Ｓ−ＧＷ（ServingGateway）２００、Ｐ−ＧＷ３００（PDN Gateway）、ＰＣＲＦ（Policy and Charging Rules Function）４００、保守端末５００、外部サーバ６００、ｅＮｏｄｅＢ７００、および移動機８００を含んで構成されている。また、ＭＭＥ１００、Ｓ−ＧＷ２００、Ｐ−ＧＷ３００、およびＰＣＲＦ４００は、ＥＰＣ（Envolved Packet Core）というコアネットワークを構成している。
【００１３】
ＭＭＥ１００は、基地局であるｅＮｏｄｅＢを収容し、モビリティ制御およびベアラ制御機能を提供する交換機である。ＭＭＥ１００は、その地域ごとに配置されるものであり、一地域に対して一または複数のＭＭＥ１００が配置されている。
【００１４】
Ｓ−ＧＷ２００は、基地局であるｅＮｏｄｅＢを収容する在圏パケット交換機である。
【００１５】
Ｐ−ＧＷ３００は、ＰＤＮとの接続するためのゲートウェイ装置であり、ＩＰアドレスの割当てや、Ｓ−ＧＷ２００へのパケット転送などを行う交換機である。また、ＰＣＲＦ４００と連携して、ＱｏＳ制御およびベアラ設定制御などを行う。
【００１６】
ＰＣＲＦ４００は、ユーザデータ転送のＱｏＳ制御および課金制御を行う論理ノードである。
【００１７】
保守端末５００は、ＭＭＥ１００を管理する端末であって、オペレータ操作により、このＭＭＥ１００に対してページング要求コマンドを送信する部分である。ＭＭＥ１００は、ページング要求コマンドに応じて、移動機８００に対してページング要求を行う。
【００１８】
外部サーバ６００は、ネットワーク上に配置されており、移動機８００に対してパケット配信サービスの提供を行うサーバである。
【００１９】
ｅＮｏｄｅＢ７００は、基地局であって、移動機８００との間で無線通信を行う部分である。
【００２０】
移動機８００は、ユーザに保持される端末であって、ｅＮｏｄｅＢ７００を介して外部サーバ６００から配信されるパケットを受信可能な端末である。
【００２１】
このような通信システムについて、図２を用いて、処理の概要について説明する。図２に示されるとおり、Ｓ−ＧＷ２００とＰＰ−ＧＷ３００との間のＳ５／Ｓ８インタフェースのベアラは、解放されている。これは、上述したとおり、Ｐ−ＧＷ３００の再開などの様々な要因により生じる。
【００２２】
Ｓ５／Ｓ８インタフェースのベアラが解放されている状況で外部サーバ６００が移動機８００に対してデータ配信を行うと、Ｐ−ＧＷ３００は、外部サーバ６００からのデータをＳ−ＧＷ２００に対して送信することができない。外部サーバ６００の管理者は、パケット配信ができなかったことをエラー通知などで知ることができるため、その旨を、オペレータ保守者に申告する。その際、外部サーバ管理者は、どの移動機８００に対するどの地域宛のパケットが送信できなかったかなどの情報を知っているため、その情報（移動機の電話番号及び移動機の凡その位置）をオペレータ保守者に伝える。
【００２３】
保守端末５００とＭＭＥ１００とは、保守インタフェースという専用線で通信可能に接続されており、オペレータ保守者は、電話番号と移動機の凡その位置から、ＩＭＳＩとＭＭＥ１００ｐｏｏｌ情報（最終在圏ＭＭＥアドレスでもよい）を特定し、保守端末５００を操作することによって、最終在圏ＭＭＥアドレスに基づいたＭＭＥ１００に対して、ＩＭＳＩが設定されたページング要求コマンドを送信させる。
【００２４】
ＭＭＥ１００は、ページング要求コマンドを受信すると、その配下にいるｅＮｏｄｅＢ７００に対してページング要求を行う。
【００２５】
移動機８００は、ｅＮｏｄｅＢ７００を介してページング要求を受信すると、再アタッチ処理を行い、ＭＭＥ１００に対して位置登録処理を行って、その結果Ｓ５／Ｓ８インタフェースのベアラの再確立を行う。または、サービス要求処理を行うことで、Ｓ５／Ｓ８インタフェースのベアラの再確立を行う。これによって、Ｓ−ＧＷ２００とＰ−ＧＷ３００との間のＳ５／Ｓ８インタフェースにベアラを再度張ることができ、移動機８００に対する着信処理を可能にさせる。
【００２６】
つぎに、本実施形態のＭＭＥ１００について説明する。図３は、ＭＭＥ１００の機能構成を示すブロック図である。図３に示されるとおり、ＭＭＥ１００は、在圏情報記憶部１０１、保守インタフェース１０２（受信部）、在圏判断部１０３、ページング制御部１０４、および通信部１０５を含んで構成されている。以下、各構成要件について説明する。
【００２７】
在圏情報記憶部１０１は、移動機８００のＩＭＳＩ（International Mobile Subscriber Identity：識別情報に相当）と当該移動機８００の在圏位置を示す在圏情報とを含んだプロファイル情報を記憶する部分である。ここでの在圏情報は、ＭＭＥ１００の識別情報などである。
【００２８】
保守インタフェース１０２は、保守端末５００と専用線によって通信可能に接続されるインタフェースである。
【００２９】
在圏判断部１０３は、保守インタフェース１０２を介して受信したページング要求コマンドに含まれているＩＭＳＩに基づいて、ページング要求コマンドに設定する情報を判断する部分である。この判断に際して、在圏判断部１０３は、在圏情報記憶部１０１に記憶されているプロファイル情報を参照して、そのプロファイル情報におけるＩＭＳＩの有無を判断する。
【００３０】
ページング制御部１０４は、ページング要求を生成する部分である。このページング制御部１０４は、保守端末５００から送信されたページング要求コマンドに含まれているＩＭＳＩがプロファイル情報にあるか否かに応じて、ページング要求を生成する。ページング制御部１０４は、ＩＭＳＩのプロファイル情報がある場合には、ＩＭＳＩを設定したページング要求を生成する。ＩＭＳＩのプロファイル情報がない場合には、Ｓ−ＴＭＳＩを設定したページング要求を生成する。このＳ−ＴＭＳＩとは、位置登録時にＭＭＥ１００から払い出される移動機８００の識別子である。
【００３１】
通信部１０５は、ページング制御部１０４により生成されたページング要求を、その配下にあるｅＮｏｄｅＢ７００に対して送信する部分である。通信部１０５は、プロファイルがない場合には、その配下にあるｅＮｏｄｅＢ７００全てに対して送信し、プロファイルがある場合には、そのページング要求に含まれているｅＮｏｄｅＢ７００を指定する情報に基づいたｅＮｏｄｅＢ７００に送信する。
【００３２】
図４は、保守端末５００の機能構成を示すブロック図である。図４に示されるとおり、保守端末５００は、リセット要求部２０１（ページング要求部）および操作部２０２を含んで構成されている。
【００３３】
リセット要求部２０１は、操作部２０２に受け付けられたＩＭＳＩが設定されたページング要求コマンドを生成して、その最終在圏ＭＭＥアドレス宛にページング要求コマンドを送信する。
【００３４】
操作部２０２は、オペレータ保守者による操作を受け付ける部分であり、リセットの対象となる移動機８００を示すＩＭＳＩおよびページング要求コマンドの送信先である最終在圏ＭＭＥアドレス（またはそのグループを示すｐｏｏｌ情報）を、オペレータ保守者から受け付ける。
【００３５】
上記の通りに構成されたＭＭＥ１００の動作について説明する。図５は、ＭＭＥ１００の動作を示すフローチャートである。図５に示されるとおり、ＭＭＥ１００において、保守インタフェース１０２により保守端末５００からＩＭＳＩが指定されたページング要求コマンドが受信される（Ｓ１０１）。そして、在圏判断部１０３により、指定されたＩＭＳＩが在圏情報記憶部１０１のプロファイル情報にあるか否かが判断される（Ｓ１０２）。
【００３６】
ここで、ＩＭＳＩがないと判断されると（Ｓ１０２：プロファイル無し）、ＭＭＥ１００の配下にあるｅＮｏｄｅＢ７００全てに対して、ＩＭＳＩが設定されたページング要求が送信される（Ｓ１０３）。ＩＭＳＩがあると判断されると（Ｓ１０２：プロファイルあり）、Ｓ−ＴＭＳＩが設定されたページング要求が、ＭＭＥ１００の配下にあるｅＮｏｄｅＢ７００のうち、ＭＭＥ１００においてＳ−ＴＭＳＩに対応付けて記憶されているｅＮｏｄｅＢ７００に対して送信される（Ｓ１０３）。
【００３７】
つぎに、上記の通りに動作するＭＭＥ１００を含んだ通信システムにおける処理シーケンスについて説明する。図６は、本実施形態の通信システムにおける処理シーケンス図を示す。
【００３８】
保守端末５００において、操作部２０２により着信ＮＧ復旧操作が受け付けられる（Ｓ２０１）。ここでは、対象となる移動機８００のＩＭＳＩと、最終在圏したＭＭＥ１００のアドレスもしくはｐｏｏｌ情報（グループ情報に相当）が指定される。そして、保守端末５００において、リセット要求部２０１により、移動機８００のＩＭＳＩとｐｏｏｌ情報とが設定されたページング要求コマンドが送信される（Ｓ２０２）。
【００３９】
ＭＭＥ１００において、保守インタフェース１０２によりページング要求コマンドが受信されると、在圏判断部１０３により、プロファイル検索処理が行われ、ＩＭＳＩのプロファイル情報があるか否かが判断される（Ｓ２０３）。
【００４０】
ここで、ＩＭＳＩのプロファイル情報がないと判断されると、ページング制御部１０４により、そのＩＭＳＩが設定されたページング要求（図中ではS1AP_Paging）が生成され、通信部１０５により送信される（Ｓ２０４）。
【００４１】
ｅＮｏｄｅＢ７００において、ページング要求が受信されると、無線区間においてＲＲＣページングが送信され（Ｓ２０５）、移動機８００において、受信される。
【００４２】
移動機８００では、再アタッチ処理が起動され（Ｓ２０６）、アタッチ処理（図中のEMM_Attach Requestの送信）が行われる（Ｓ２０７）。そして、このアタッチ処理に基づいて、Ｓ−ＧＷ２００とＰ−ＧＷ３００の間のＳ５／Ｓ８インタフェースのベアラが再確立される（Ｓ２０８）。
【００４３】
一方、ＩＭＳＩのプロファイル情報があると判断されると、ページング制御部１０４により、そのＳ−ＴＭＳＩが設定されたページング要求（図中ではS1AP_Paging）が生成される。そして、ページング制御部１０４および通信部１０５により、ＭＭＥ１００において記憶されている１つもしくは複数のＴｒａｃｋｉｎｇＡｒｅａ配下のｅＮｏｄｅＢ７００に対して送信される（Ｓ２０９）。トラッキングエリアはトラッキングエリア識別子（ＴＡＩ；Tracking  Area  Identifier）によって識別される。移動機８００は、ｅＮｏｄｅＢ７００が自局の属するトラッキングエリアのトラッキングエリア識別子を報知することで、在圏するトラッキングエリアを把握することができる。移動局の在圏するトラッキングエリアは、移動機８００が位置登録（ＴＡＵ；Tracking  Area  Update）を行うことでコアネットワーク側に登録される。
【００４４】
ｅＮｏｄｅＢ７００において、ページング要求が受信されると、無線区間においてＲＲＣページングが送信され（Ｓ２１０）、移動機８００において、受信される。
【００４５】
移動機８００では、サービス接続処理が起動され、サービス要求処理（図中のEMM_Service Requestの送信）が行われる（Ｓ２１１）。そして、サービスリクエスト処理が行われ、Ｓ５／Ｓ８インタフェースのベアラが再確立される（Ｓ２１２）。
【００４６】
上記本実施形態のＭＭＥ１００によると、保守端末５００からページング要求コマンドを受けることにより、ページング要求を移動機８００に対して送信することができる。すなわち、ＥＰＣなどのコアネットワークにおいてＳ５／Ｓ８インタフェースのベアラが解放されていたとしても、移動機８００に対してページング要求を行うことができ、ベアラの再確立処理を行わせることができる。
【００４７】
つぎに、本実施形態の変形例について説明する。図７は、変形例における通信システムのシステム構成を示す図である。本変形例においては、外部サーバ６００ａは、データ配信が未達であることを検出することによって、自動的に保守端末５００に通知を行い、保守端末５００ａは、その通知に応じてページング要求コマンドを送信するものである。
【００４８】
図８は、保守端末５００ａの機能構成を示すブロック図である。図８に示されるとおり、保守端末５００ａは、リセット要求部２０１ａ、リセット要求認証部２０１ｂおよび加入者情報問合部２０３を含んで構成されている。リセット要求部２０１ａは、外部サーバ６００からの移動機リセット要求を受け付ける部分である。そして、リセット要求部２０１ａは、受信したリセット要求が正当な信号であるかを認証し、正当な要求と認めた場合には加入者情報問合部２０３により取得されたＩＭＳＩおよび最終的に在圏したＭＭＥ１００のアドレス（以降、最終在圏ＭＭＥアドレスと称す）に基づいて、ページング要求コマンドを生成して、最終在圏ＭＭＥアドレスに対応するＭＭＥ１００に対して送信する。
リセット要求認証部２０１ｂは、リセット要求部２０１ａにより要求されたリセット要求が正当な信号であるか否かを認証し、その旨をリセット要求部２０１ａに指示する部分である。
【００４９】
加入者情報問合部２０３は、リセット要求部２０１ａにより移動機リセット要求が受け付けられると、そのＩＰアドレスまたは電話番号をキーにしてＨＳＳ５１０に対して問合せをする部分である。加入者情報問合部２０３は、問合せの応答としてＩＭＳＩおよび最終在圏ＭＭＥアドレスを取得する。
【００５０】
図９は、変形例における通信システムの処理シーケンスを示す図である。図９において、外部サーバ６００ａにより下りのパケットが配信される（Ｓ３０１）。このパケット配信は、Ｓ−ＧＷ２００とＰ−ＧＷ３００との間のＳ５／Ｓ８インタフェースが解放されているため、失敗となる。よって、外部サーバ６００ａにおいて、Ｐ−ＧＷ３００において転送失敗が検知される（Ｓ３０２）。なお、外部サーバ６００ａは、パケットがどこまで到達したかを判断することができる。そして、外部サーバ６００ａにおいて、Ｐ−ＧＷ３００までは到達したが、そこから先は転送されなかったと判断される場合には、リセット処理が起動される（Ｓ３０３）。そして、外部サーバ６００ａにおいて、移動機リセット要求が、保守端末５００ａに送信される（Ｓ３０４）。この移動機リセット要求には、リセット対象となる移動機のＩＰアドレスまたは電話番号と、リセット要求信号が正当な要求であることを保守端末で認証するための認証情報（ID、パスワード等）が設定されている。
【００５１】
保守端末５００ａにおいて、移動機リセット要求が受信されると、受信したリセット要求の認証処理を行い（Ｓ３０４ａ）、正当なリセット要求と認めた場合にはＨＳＳ５１０に対して、ＩＰアドレスまたは電話番号を用いたＩＭＳＩ等の問い合わせ処理が行われる（Ｓ３０５）。ＨＳＳ５１０においては、ＩＰアドレスまたは電話番号等に対応付けて移動機８００のＩＭＳＩおよびその在圏情報（最終的に在圏したＭＭＥ１００のアドレス）が記憶されている。そして、ＨＳＳ５１０において、保守端末５００ａからの問合せに対して、ＩＭＳＩおよび最終在圏ＭＭＥアドレスが返信される（Ｓ３０６）。
【００５２】
保守端末５００ａにおいて、ＨＳＳ５１０から返信された応答に含まれている最終在圏ＭＭＥアドレス宛に、ＩＭＳＩが設定されたページング要求コマンドが送信される（Ｓ３０７）。
【００５３】
ＭＭＥ１００において、ページング要求コマンドに基づいて、プロファイル検索処理が行われ（Ｓ３０８）、その検索結果に応じたページング要求処理が行われる（Ｓ２０、Ｓ２１）。その詳細は、上述図６と同様である。
【００５４】
つぎに、別の変形例について説明する。図１０は、別の変形例における通信システムのシステム構成を示す図である。この変形例は、いわゆるＶｏＬＴＥによる音声パケットの着信に適用した事例である。図１０によるとＩＭＳ（IP Multimedia Subsystem）６００ｂを構成するＰ−ＣＳＣＦ６００ｂ１およびＳ−ＣＳＣＦ６００ｂ２が、発信端末（図示せず）から着信したＩＮＶＩＴＥ信号に基づいた処理を行うことができない場合、当該Ｐ−ＣＳＣＦ６００ｂ１がＭＭＥ１００に対してページング要求コマンドを送信する。
【００５５】
ＭＭＥ１００は、Ｐ−ＣＳＣＦ６００ｂ１から受信したページング要求コマンドに基づいて、移動機８００に対してページング要求処理を行うことで、Ｓ５／Ｓ８インタフェースのベアラの再確立を行うことができる。
【００５６】
図１１は、この変形例におけるＰ−ＣＳＣＦ６００ｂ１の機能ブロック図である。図１１に示されるとおり、Ｐ−ＣＳＣＦ６００ｂ１は、通信制御部６０１（通信判断部）、リセット要求部６０２（ページング要求部）、および加入者情報問合部６０３を含んで構成されている。
【００５７】
通信制御部６０１は、Ｐ−ＧＷ３００を含むコアネットワークとの間で通信制御を行う部分であり、パケット転送処理やＱｏｓ制御を行う部分である。この通信制御部６０１は、発信端末（図示せず）から受信したＳＩＰ信号に基づいてベアラの割当て要求や、ＳＩＰ信号の転送処理を行う。このＳＩＰ信号にはＩＭＳＩが設定されている。
【００５８】
リセット要求部６０２は、通信制御部６０１においてＳＩＰ転送処理が失敗した場合に、ＭＭＥ１００に対してリセット要求コマンドを送信する部分である。その際、リセット要求部６０２は、加入者情報問合部６０３により取得された最終在圏ＭＭＥアドレスに基づいたＭＭＥ１００に対してページング要求コマンドを送信する。このページング要求コマンドには、ＩＭＳＩが設定されている。
【００５９】
加入者情報問合部６０３は、リセット要求部６０２によりＳＩＰ転送処理が失敗したと判断されると、ＳＩＰ信号に設定されているＩＭＳＩをキーにしてＨＳＳ５１０に対して問合せをする部分である。加入者情報問合部６０３は、問合せの応答としてＩＭＳＩに対応する最終在圏ＭＭＥアドレスを取得する。
【００６０】
つぎに、このＩＭＳ６００ｂ（Ｐ−ＣＳＣＦ６００ｂ１）とＭＭＥ１００とを用いた処理について説明する。図１２は、その処理シーケンスを示す図である。なお、図１２におけるＩＭＳ６００ｂは、Ｐ−ＣＳＣＦ６００ｂ１およびＳ−ＣＳＣＦ６００ｂ２の処理を行うものとして説明する。
【００６１】
ＩＭＳ６００ｂにおいて、発信側端末からＳＩＰ信号が受信される（Ｓ４０１）。そして、この受信に従って、ＩＭＳ６００ｂにおいて、ＰＣＲＦ４００に対して音声メディア用のDedicated Bearerの割当て処理が行われる。本変形例においては、Ｓ５／Ｓ８インタフェースのベアラが解放されていることから、ＰＣＲＦ４００において、割当ＮＧの応答が、ＩＭＳ６００ｂに送信される。
【００６２】
また、ＩＭＳ６００ｂにおいて、ＳＩＰ信号が、Ｐ−ＧＷ３００に送信される（Ｓ４０３）。本実施形態においては、Ｓ５／Ｓ８インタフェースのベアラが解放されていることから、ＩＭＳ６００ｂにおいて、転送失敗と判断される。なお、ＩＭＳ６００ｂにおいて、配信しようとしたパケットは、Ｐ−ＧＷ３００まで届いたのか、さらにそれ以上のノードまで届いたのか判断できる。よって、Ｐ−ＧＷ３００までしかパケットが到着しなかったと判断される場合に、リセット要求部６０２により、リセット処理が起動される（Ｓ４０４、Ｓ４０５）。
【００６３】
つぎに、加入者情報問合部６０３により、ＨＳＳ５１０に対して最終在圏ＭＭＥアドレスの問合せ処理が行われ、そのＭＭＥ１００のアドレスが取得される（Ｓ４０６）。
【００６４】
リセット要求部６０２により、取得されたＭＭＥ１００の最終在圏ＭＭＥアドレスに宛てて、ページング要求コマンドが送信される（Ｓ４０７）。なお、このページング要求コマンドには、ＩＭＳＩが設定されている。
【００６５】
ＭＭＥ１００において、ページング要求コマンドに基づいて、プロファイル検索処理が行われ（Ｓ４０８）、その検索結果に応じたページング要求処理が行われる（Ｓ２０、Ｓ２１）。
【００６６】
つぎに、本実施形態のＭＭＥ１００の作用効果について説明する。このＭＭＥ１００において、在圏情報記憶部１０１は、移動機８００の識別情報であるＩＭＳＩと当該移動機が在圏している場所を示す在圏情報とを含んだプロファイル情報を記憶する。
【００６７】
そして、ＭＭＥ１００の保守インタフェース１０２は、外部端末である保守端末５００から、リセット対象となる移動機８００の識別情報を含んだページング要求コマンドを受信する。そして、在圏判断部１０３は、受信されたページング要求コマンドに含まれているＩＭＳＩが、在圏情報記憶部１０１に記憶されているプロファイル情報に含まれているか否かを判断する。
【００６８】
在圏判断部１０３は、プロファイル情報に含まれていると判断すると、当該プロファイル情報の在圏情報に応じたｅＮｏｄｅＢ７００に対して、当該プロファイル情報のＩＭＳＩを含んだページング処理を行う。また、在圏判断部１０３は、プロファイル情報に含まれていないと判断すると、ＭＭＥ１００の配下にいる全てのｅＮｏｄｅＢ７００に対して、当該プロファイル情報の識別情報を含んだページング処理を行う。
【００６９】
この実施形態によれば、保守端末などからのリセット信号に基づいてページング処理を行うことができる。したがって、コアネットワーク内におけるＳ５／Ｓ８インタフェースのベアラが解放されていたとしても、ページング処理を行うことができ、Ｓ５Ｓ／８インタフェースのベアラの再確立を可能にする。
【００７０】
さらに、ページング処理の対象となる移動機の識別情報がプロファイル情報として記憶されていない場合には、ＭＭＥ１００の配下にある全てのｅＮｏｄｅＢ７００に対してページング処理のための信号を出力することができる。したがって、プロファイル情報が時間経過やその他の要因によって消去されたとしても、ページング処理を可能にすることができる。
【００７１】
特に、受信機専用のＩｏＴなどは、在圏移動に伴ったアタッチ処理などを行うことができないため、保守端末などの外部端末から強制的にアタッチ処理をさせることは有効である。
【００７２】
変形例における通信システムは、一または複数の通信制御サーバであるＭＭＥ１００と、外部端末である保守端末５００ａと、管理サーバである外部サーバ６００ａとから構成される。
【００７３】
この外部サーバ６００ａは、ネットワークに対する通信の可否を判断する通信判断部（図示せず）と、通信判断部により通信否と判断されると、前記保守端末に対して、移動端末の宛先情報を指示して、当該移動端末のリセット要求を送信するリセット要求部（図示せず）とを備える。
【００７４】
また、保守端末５００は、リセット要求部から移動機８００のリセット要求を受信すると、ＭＭＥ１００に対して、移動機８００の宛先情報に基づいてページング要求コマンドを送信するリセット要求部２０１ａを備える。
【００７５】
この変形例においては、外部サーバ６００ａが、下りパケットの不達により移動機８００に対してリセット要求を行うことができる。保守端末５００ａは、そのリセット要求を受信することができ、保守者オペレータが操作することなく、自動的にページング要求コマンドを生成して、ＭＭＥ１００に送信することができる。
【００７６】
その際、保守端末５００ａにおいて、加入者情報問合部２０３は、ＨＳＳ５１０（加入者情報管理サーバ）に対して、電話番号やＩＰアドレスなどの宛先情報に対応する移動機８００のＩＭＳＩの問合せを行い、取得したＩＭＳＩを含んだページング要求コマンドを送信する。
【００７７】
この処理によって、移動機８００の宛先情報からＩＭＳＩを導出することができ、自動的にページング要求処理を行うことができる。
【００７８】
また、保守端末５００ａにおいて、リセット要求部２０１ａは、当該移動機８００の在圏情報に対応するＭＭＥ１００の問合せを行って、最終在圏ＭＭＥアドレスを取得し、そのＭＭＥ１００に対して、移動機８００のＩＭＳＩを含んだページング要求コマンドを送信する。この処理によって、ＭＭＥ１００を適切に選択することができる。
【００７９】
また、別の変形例における通信システムは、一または複数のＭＭＥ１００と、ＩＭＳを構成するサーバ（Ｐ−ＣＳＣＦ６００ｂ１）とから構成される。このＰ−ＣＳＣＦ６００ｂ１は、音声パケット制御サーバである。そして、Ｐ−ＣＳＣＦ６００ｂ１において、通信制御部６０１は、外部から受けた音声パケットをネットワークに対して送信し、送信の可否を判断する。
【００８０】
加入者情報問合部６０３は、通信否と判断されると、ＨＳＳ５１０に対して、宛先となる移動機８００の在圏情報に対応するＭＭＥ１００の問合せを行う。そして、リセット要求部６０２は、問合せにより取得した最終在圏ＭＭＥアドレスのＭＭＥ１００に対して、移動機８００のＩＭＳＩを含んだページング要求コマンドを送信する。
【００８１】
この構成により、音声パケットによる通話を行う通話システムにおいて、コアネットワークにおけるＳ５／Ｓ８インタフェースのベアラが解放されていて移動機８００に対する着信ができない状態であった場合、早期にそのベアラの再確立を行うことができる。
【００８２】
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００８３】
例えば、本発明の一実施の形態におけるＭＭＥ１００，保守端末５００、５００ａ、外部サーバ６００、Ｐ０−ＣＳＣＦ６００ｂ１などは、コンピュータとして機能している。図１３は、本実施形態および変形例に係るＭＭＥ１００のハードウェア構成の一例を示す図である。上述のＭＭＥ１００は、物理的には、プロセッサ１００１、メモリ１００２、ストレージ１００３、通信装置１００４、入力装置１００５、出力装置１００６、バス１００７などを含むコンピュータ装置として構成されてもよい。
【００８４】
なお、以下の説明では、「装置」という文言は、回路、デバイス、ユニットなどに読み替えることができる。ＭＭＥ１００のハードウェア構成は、図に示した各装置を１つ又は複数含むように構成されてもよいし、一部の装置を含まずに構成されてもよい。
【００８５】
ＭＭＥ１００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００８６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、在圏判断部１０３、ページング制御部１０４などは、プロセッサ１００１で実現されてもよい。
【００８７】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ＭＭＥ１００の在圏判断部１０３およびページング制御部１０４は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００８８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００８９】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００９０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の保守インタフェース１０２，通信部１０５などは、通信装置１００４で実現されてもよい。
【００９１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００９２】
また、プロセッサ１００１やメモリ１００２などの各装置は、情報を通信するためのバス１００７で接続される。バス１００７は、単一のバスで構成されてもよいし、装置間で異なるバスで構成されてもよい。
【００９３】
また、ＭＭＥ１００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００９４】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００９５】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC ConnectionReconfiguration）メッセージなどであってもよい。
【００９６】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００９７】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９８】
本明細書において特定の装置によって行われるとした特定動作は、場合によってはその上位ノード（upper node）によって行われることもある。例えば、特定の装置がＭＭＥであった場合においては、当該ＭＭＥを有する１つまたは複数のネットワークノード（network nodes）からなるネットワークにおいて、端末との通信のために行われる様々な動作は、ＭＭＥ以外の他のネットワークノード(例えば、S-GWなどが考えられるが、これらに限られない)によって行われ得ることは明らかである。上記においてＭＭＥ以外の他のネットワークノードが１つである場合を例示したが、複数の他のネットワークノードの組み合わせ(例えば、S-GWなどその他のゲートウェイ)であってもよい。
【００９９】
情報等は、上位レイヤ(または下位レイヤ)から下位レイヤ(または上位レイヤ)へ出力され得る。複数のネットワークノードを介して入出力されてもよい。
【０１００】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【０１０１】
判定は、１ビットで表される値（０か１か）によって行われてもよいし、真偽値（Boolean：trueまたはfalse）によって行われてもよいし、数値の比較（例えば、所定の値との比較）によって行われてもよい。
【０１０２】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１０３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１０５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０６】
なお、本明細書で説明した用語及び／又は本明細書の理解に必要な用語については、同一の又は類似する意味を有する用語と置き換えてもよい。
【０１０７】
本明細書で使用する「システム」および「ネットワーク」という用語は、互換的に使用される。
【０１０８】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１０９】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１１０】
移動端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１１１】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１１２】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１１３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１４】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１１５】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【０１１６】
本明細書において、文脈または技術的に明らかに1つのみしか存在しない装置である場合以外は、複数の装置をも含むものとする。
【０１１７】
本開示の全体において、文脈から明らかに単数を示したものではなければ、複数のものを含むものとする。
【符号の説明】
【０１１８】
１００…ＭＭＥ、２００…Ｓ−ＧＷ、３００…Ｐ−ＧＷ、４００…ＰＣＲＦ、５００…保守端末、５００ａ…保守端末、５１０…ＨＳＳ、６００…外部サーバ、６００ａ…外部サーバ、６００ｂ…ＩＭＳ、６００ｂ１…ＣＳＣＦ、６００ｂ２…ＣＳＣＦ、７００…ｅＮｏｄｅＢ、８００…移動機、１０１…在圏情報記憶部、１０２…保守インタフェース、１０３…在圏判断部、１０４…ページング制御部、１０５…通信部、２０１…リセット要求部、２０１ａ…リセット要求部、２０１ｂ…リセット要求認証部、２０２…操作部、２０３…加入者情報問合部、６０１…通信制御部、６０２…リセット要求部、６０３…加入者情報問合部。
【図１】
2018160769.tif 000003
【図２】
2018160769.tif 000004
【図３】
2018160769.tif 000005
【図４】
2018160769.tif 000006
【図５】
2018160769.tif 000007
【図６】
2018160769.tif 000008
【図７】
2018160769.tif 000009
【図８】
2018160769.tif 000010
【図９】
2018160769.tif 000011
【図１０】
2018160769.tif 000012
【図１１】
2018160769.tif 000013
【図１２】
2018160769.tif 000014
【図１３】
2018160769.tif 000015